(57)【要約】      （修正有）【課題】部品のトレースを容易に行うことができる照明装置及び照明装置の製造方法を提供する。【解決手段】照明装置１は、埋込型の照明装置であって、複数の部品で構成される。複数の部品の少なくとも１つには、情報管理部９０が含まれる。情報管理部９０には、複数の部品各々の部品情報が格納される。部品情報は、部品を製造した日時を示す情報、部品を製造した工場を示す情報及びロット番号を示す情報、すなわち生産履歴を追跡可能にする情報を含む。【選択図】図１Ａ
2020095791.tif 000002
【特許請求の範囲】
【請求項１】
埋込型の照明装置であって、
複数の部品を備え、
複数の前記部品には、情報管理部が含まれ、
前記情報管理部には、各々の前記部品に関する部品情報が格納される
照明装置。
【請求項２】
各々の前記部品には、前記部品情報をコード化した媒体が貼り付けられる又は印刷される
請求項１に記載の照明装置。
【請求項３】
前記媒体は、二次元バーコードである
請求項２に記載の照明装置。
【請求項４】
前記情報管理部は、ＩＣタグであり、
複数の前記部品には、前記情報管理部を収容する金属筐体が含まれ、
前記金属筐体には、前記情報管理部と通信端末とが無線通信するための電波を通過させる貫通孔が形成される
請求項１〜３のいずれか１項に記載の照明装置。
【請求項５】
前記貫通孔は、前記情報管理部と対向する位置に形成される
請求項４に記載の照明装置。
【請求項６】
前記部品情報には、前記部品を製造した日時を示す情報、前記部品を製造した工場を示す情報、及び、ロット番号を示す情報が含まれる
請求項１〜５のいずれか１項に記載の照明装置。
【請求項７】
埋込型の照明装置の製造方法であって、
組み立て対象となる複数の部品を特定する番号を情報管理部に格納することと、
各々の前記部品に関する部品情報を各々の当該部品に貼り付ける又は印刷することと、
各々の前記部品を組み立てる際に、各々の前記部品を特定する番号に対応する各々の前記部品情報を前記情報管理部に格納することとを含む
照明装置の製造方法。
【発明の詳細な説明】
【技術分野】
【０００１】
本開示は、照明装置及び照明装置の製造方法に関する。
【背景技術】
【０００２】
従来の照明装置として特許文献１には、光源を有する器具本体、第１の筐体、及び、第１の筐体の外部に配置された第２の筐体といった複数の部品で構成される照明器具が開示されている。
【先行技術文献】
【特許文献】
【０００３】
【特許文献１】特開２０１５−３７０４２号公報
【発明の概要】
【発明が解決しようとする課題】
【０００４】
従来の照明装置では、照明装置を構成する所定の部品がリコール対象となった場合に、造営材に設置された照明装置を取り外し、照明装置を分解して確認する必要がある。このため、リコール対象となる部品のトレースを簡易に行いたいという要望がある。
【０００５】
そこで、部品のトレースを容易に行うことができる照明装置及び照明装置の製造方法を提供することを目的とする。
【課題を解決するための手段】
【０００６】
上記目的を達成するために、本開示に係る照明装置の一態様は、埋込型の照明装置であって、複数の部品を備え、複数の前記部品には、情報管理部が含まれ、前記情報管理部には、各々の前記部品に関する部品情報が格納される。
【０００７】
また、上記課題を解決するために、本開示に係る照明装置の製造方法の一態様は、埋込型の照明装置の製造方法であって、組み立て対象となる複数の部品を特定する番号を情報管理部に格納することと、各々の前記部品に関する部品情報を各々の当該部品に貼り付ける又は印刷することと、各々の前記部品を組み立てる際に、各々の前記部品を特定する番号に対応する各々の前記部品情報を前記情報管理部に格納することとを含む。
【発明の効果】
【０００８】
本開示に係る照明装置等によれば、部品のトレースを容易に行うことができる。
【図面の簡単な説明】
【０００９】
【図１Ａ】図１Ａは、実施の形態に係る照明装置を例示する部分断面図である。
【図１Ｂ】図１Ｂは、媒体の一例である二次元バーコードを貼り付けた板バネを例示する斜視図である。
【図２】図２は、実施の形態に係る照明装置の部品情報を例示する図である。
【図３】図３は、実施の形態に係る照明装置の金属筐体に形成される貫通孔を例示する正面図である。
【図４】図４は、実施の形態に係る照明装置の製造方法を例示するフローチャートである。
【発明を実施するための形態】
【００１０】
以下では、本開示の実施の形態について、図面を用いて詳細に説明する。なお、以下に説明する実施の形態は、いずれも本開示の一具体例を示すものである。したがって、以下の実施の形態で示される数値、形状、材料、構成要素、構成要素の配置及び接続形態、ステップ、ステップの順序等は、一例であり、本開示を限定する趣旨ではない。よって、以下の実施の形態における構成要素のうち、本開示の最上位概念を示す独立請求項に記載されていない構成要素については、任意の構成要素として説明される。
【００１１】
また、各図は、模式図であり、必ずしも厳密に図示されたものではない。したがって、例えば、各図において縮尺等は必ずしも一致しない。また、各図において、実質的に同一の構成については同一の符号を付しており、重複する説明は省略又は簡略化する。
【００１２】
まず、本実施の形態に係る照明装置及び照明装置の製造方法について説明する。
【００１３】
（実施の形態）
［構成］
図１Ａは、実施の形態に係る照明装置１を例示する部分断面図である。
【００１４】
図１Ａに示すように、照明装置１は、天井、又は、壁等の造営材の取付孔に埋込設置された埋込型の照明装置１であり、周囲を照明することができる。照明装置１は、例えば、ダウンライト、ベースライト等である。照明装置１は、複数の部品で構成される。以下で説明する各々の部品には、後述する部品に関する部品情報をコード化した媒体５が付与（例えば、貼り付け又は印刷）される。例えば、図１Ｂに示すように、複数の部品の一つである板バネ４０には、媒体５が付与される。図１Ｂは、媒体５の一例である二次元バーコードを貼り付けた板バネ４０を例示する斜視図である。
【００１５】
照明装置１は、器具本体１０、セード部２０、枠体３０、複数の板バネ４０、発光モジュール５０、反射部材６０、光学部材７０、及び、電源ボックス８０等の複数の部品を備える。
【００１６】
器具本体１０は、発光モジュール５０を収容する有底筒状の部材である。器具本体１０は、発光モジュール５０を取付ける取付台を有する。この取付台は、有底筒状の器具本体１０の底部を形成する。取付台は、発光モジュール５０から発せられた熱を放散するヒートシンクとしても機能する。取付台は、例えばアルミニウムからなるアルミダイカスト製である。
【００１７】
枠体３０は、器具本体１０の開口部側に配置される筒状の部材である。枠体３０は、セード部２０の少なくとも一部を収容した状態で、セード部２０を固定する。枠体３０は、照明装置１が取付けられる造営材と係合する円環状の部分である鍔部３１を有する。
【００１８】
セード部２０は、発光モジュール５０からの出射光の一部を反射する部分である。セード部２０は、発光モジュール５０が出射する光の主たる光軸方向に向かって内径が漸次大きくなるように構成された筒状の形状を有する。
【００１９】
複数の板バネ４０は、造営材に形成された取付孔に照明装置１を取付けるための弾性部材であって、枠体３０の外側壁に取付けられる。複数の板バネ４０と枠体３０の鍔部３１とが、造営材を挟持する。
【００２０】
発光モジュール５０は、光を放射状に出射する光源である。本実施の形態では、発光モジュール５０は、ＬＥＤ（Ｌｉｇｈｔ  Ｅｍｉｔｔｉｎｇ  Ｄｉｏｄｅ）を有する発光モジュール５０である。発光モジュール５０は、例えば白色光を出射するように構成されている。発光モジュール５０は、ＣＯＢ（Ｃｈｉｐ  Ｏｎ  Ｂｏａｒｄ）型ＬＥＤで構成され、基台と、基台上に実装されたベアチップ（ＬＥＤチップ）である複数の青色ＬＥＤと、それら青色ＬＥＤを封止し、黄色蛍光体を含む封止部材とを備える。
【００２１】
反射部材６０は、発光モジュール５０が発する光の配光を制御する部材である。反射部材６０は、発光モジュール５０が出射する光の主たる光軸方向に向かって内径が漸次大きくなるように構成された筒状の形状を有する。本実施の形態では、反射部材６０は、発光モジュール５０からの光を光学部材７０に向けて反射させる。
【００２２】
光学部材７０は、反射部材６０からの光が入射される透光性の部材である。光学部材７０は、反射部材６０から入射した光の配光を制御して出射する機能を有してもよい。本実施の形態では、光学部材７０は円板状のフレネルレンズである。
【００２３】
電源ボックス８０は、発光モジュール５０に電力を供給する電源回路が内蔵されたモジュールである。電源ボックス８０に内蔵された電源回路は、電源ボックス８０に接続された配線から供給された交流電流を直流電流に変換し、変換した直流電流を、リード線を介して発光モジュール５０のＬＥＤに供給する。
【００２４】
電源ボックス８０は、電源回路が構成された電源基板８１と、電源基板８１を収容する金属筐体８３とを有する。電源基板８１には、電源回路を構成する電子部品、ヒートシンク等が設けられる。また、電源基板８１には、情報管理部９０が搭載される。
【００２５】
図２は、実施の形態に係る照明装置１の部品情報を例示する図である。
【００２６】
図１Ａ及び図２に示すように、情報管理部９０は、各々の部品情報を格納する記憶素子を有する。情報管理部９０は、例えば、ＩＣタグ（ＲＦタグ又は電子タグとも呼ばれる）である。情報管理部９０は、上述の複数の部品のうちの少なくとも１つの部品に含まれる。部品情報は、部品を製造した日時を示す情報、部品を製造した工場を示す情報、及び、ロット番号を示す情報、つまり生産履歴を追跡可能にする情報を含む。また、部品情報には、少なくともロット番号が含まれていてもよい。部品情報には、品番を示す情報、部品の名称を示す情報等が含まれていてもよい。また、情報管理部９０には、各々の部品情報に対応付けられた各々の部品の品番を示す情報、部品を構成する材料を示す情報等も格納される。品番は、部品を特定する番号の一例である。
【００２７】
図２に示すように、部品情報には、例えば部品名「器具本体」の品番「Ｈ０００１」に対応付けられた、製造時間「２０ＸＸ年ＸＸ月ＸＸ日ＸＸ時ＸＸ分」、製造工場「Ａ工場」及びロット番号「Ｒ０００１」が含まれる。本実施の形態では、情報管理部９０は、図２で示す部品情報のテーブルを格納しているが、部品情報を二次元バーコードで示した模様を格納していてもよい。
【００２８】
また上述では、例えば、発光モジュール５０、電源ボックス８０等を複数の部品のうちの一つの部品としたが、発光モジュール５０、電源ボックス８０等は、さらに複数の部品から構成されている。このため、情報管理部９０は、発光モジュール５０、電源ボックス８０等を構成する複数の部品を示す情報についても格納する。電源ボックス８０を例に挙げて具体的に説明すると、情報管理部９０は、電源ボックス８０を構成する複数の部品、抵抗、コンデンサ、電源基板８１、金属筐体８３等の部品を１つに纏めたグループ単位で部品情報を格納する。
【００２９】
また、情報管理部９０は、金属筐体８３に収容され、電源基板８１の表面（造営材側の面）に保持される。なお、情報管理部９０は、通信端末３と無線通信可能であればよく、電源基板８１に保持されることは必須の要件ではない。電源ボックス８０の金属筐体８３の外側側面に設けられていてもよく、他の部分に設けられていてもよい。金属筐体８３は、上述の複数の部品のうちの少なくとも１つの部品に含まれる。
【００３０】
図３は、実施の形態に係る照明装置１の金属筐体８３に形成される貫通孔８３ａを例示する正面図である。図３に示すように、金属筐体８３には、情報管理部９０と通信端末３とが無線通信するための電波を通過させる貫通孔８３ａが形成される。貫通孔８３ａは、金属筐体８３に収容された情報管理部９０と対向する位置に形成される。言い換えれば、貫通孔８３ａ及び情報管理部９０を正面視した場合に、貫通孔８３ａは、情報管理部９０と重なる位置に形成される。通信端末３は、例えば、情報管理部９０から部品情報を読み取ることが可能な専用端末、スマートフォン等である。
【００３１】
上述の複数の部品には、部品情報をコード化した媒体５が付与される。より具体的には、各々の部品には、この媒体５が貼り付けられる又は印刷される。このような媒体５は、二次元バーコードである。
【００３２】
［動作］
次に、照明装置１の製造方法について説明する。
【００３３】
図４は、実施の形態に係る照明装置１の製造方法を例示するフローチャートである。
【００３４】
図４に示すように、まず、作業者は、照明装置１を組み立てるための、照明装置１を構成する各々の部品を用意（例えば、製造）する（Ｓ１１）。例えば、作業者は、器具本体１０、セード部２０、枠体３０、複数の板バネ４０、発光モジュール５０、反射部材６０、光学部材７０、電源ボックス８０等を製造する。また、発光モジュール５０、電源ボックス８０等について、作業者は、これらを構成する複数の部品を製造する。これら各々の部品には、品番が付与される。
【００３５】
次に、各々の部品の品番を示す情報は、情報管理部９０に格納される（Ｓ１２）。照明装置１を組み立てる際に、異なる品番の部品が紛れることを抑制するために、言い換えれば誤組み付けを抑制するために、情報管理部９０には、各々の部品の品番を示す情報が格納される。
【００３６】
次に、作業者は、各々の部品に対して部品情報をコード化した媒体５を付与する（Ｓ１３）。具体的には、各々の部品には、この媒体５が貼り付けられる又は印刷される。例えば、部品への印刷は、三次元印刷機を用いて印刷する。この部品情報には、部品の名称を示す情報、部品を製造した日時を示す情報、部品を製造した工場を示す情報、及び、ロット番号を示す情報等が含まれる。また、この部品情報には、品番を示す情報が対応付けられる。
【００３７】
なお、作業者は、各々の部品に媒体５を付与する際に、付与する位置についても注意してもよい。板バネ４０を例に挙げて説明すると、照明装置１を造営材に取付ける際に、板バネ４０が造営材の取付孔と擦れる場合がある。このため、図１Ｂに示すように、作業者は、板バネ４０が造営材の取付孔と接触しない位置、つまり板バネ４０の器具本体１０側の面（造営材側の面とは反対側の面）に媒体５を付与してもよい。
【００３８】
なお、情報管理部９０を配置する電源ボックス８０の電源基板８１には、電源基板８１の部品情報をコード化した媒体５の付与を省略してもよい。これは、情報管理部９０に電源基板８１の部品情報が格納されるため、電源基板８１の部品情報をコード化した媒体５の付与を省略することができる。つまり、電源基板８１に限らず、情報管理部９０が他の部品に配置される場合でも、配置された部品の部品情報をコード化した媒体５の付与を省略できる。
【００３９】
また、作業者は、各々の部品を組み立てる際に、各々の部品の部品情報を情報管理部９０に格納する（Ｓ１４）。例えば、作業者は、各々の部品に付与された媒体５を専用の読取装置に読み込ませることで、情報管理部９０に格納する。
【００４０】
なお、本実施の形態の順番に限定されず、ステップＳ１３を行った後に、ステップＳ１４を行ってもよい。つまり、ステップＳ１３及びステップＳ１４は、部品の製造から組み立てるまでの間に行われればよい。また、ステップＳ１２とステップＳ１４とを同時に行ってもよい。このため、必ずしもステップＳ１２とステップＳ１４とを別々の工程で行わなくてもよい。さらに、ステップＳ１３及びステップＳ１４を各々の部品ごとに行った後にステップＳ１５に進んでもよく、全ての部品についてステップＳ１３を行った後に全ての部品についてステップＳ１４を行ってもよい。
【００４１】
次に、作業者は、媒体５が付与された複数の部品を用いて組み立て作業を開始する（Ｓ１５）。こうして、照明装置１は製造される。
【００４２】
［リコール対象となる所定の部品を搭載しているかどうかの確認作業］
製造された照明装置１が造営材に埋込設置された後に、作業者は、通信端末３を操作することで、照明装置１の情報管理部９０と無線通信することができる。情報管理部９０は、通信端末３から電波を受信すると、通信端末３に部品情報を送信する。通信端末３が情報管理部９０から部品情報を受信すると、通信端末３の表示部に部品情報が表示される。このため、作業者は、照明装置１にリコール対象となる所定の部品が搭載されているかどうかの確認作業を容易に行える。
【００４３】
［作用効果］
次に、本実施の形態における照明装置１及び照明装置１の製造方法の作用効果について説明する。
【００４４】
上述したように、本実施の形態に係る照明装置１は、埋込型の照明装置１であって、複数の部品を備える。また、複数の部品には、情報管理部９０が含まれる。そして、情報管理部９０には、各々の部品に関する部品情報が格納される。
【００４５】
従来では、例えば照明装置を構成する所定の部品がリコール対象となった場合に、リコール対象となった部品を含んでいるかどうかを確認するために、リコール対象となった部品が埋込設置された照明装置を造営材から取り外す必要がある。また、照明装置がリコール対象の製品と同一の製品でも、リコール対象となる部品を搭載しているかどうかは、照明装置を分解しないと判らないことがある。このため、本来はリコール対象とならない製品であっても、リコール対象となる部品を搭載している可能性があれば、取り外した後に照明装置を分解するといった作業を行う必要があり、作業負担の増大が懸念される。
【００４６】
そこで、この照明装置１によれば、照明装置１を構成する各々の部品の部品情報が情報管理部９０に格納されている。したがって、この照明装置１では、各々の部品のトレースを容易に行うことができる。その結果、作業者は、照明装置１を分解することなく、照明装置１にリコール対象となる所定の部品が搭載されているかどうかの確認作業を容易に行うことができるため、作業負担の増大を抑制することができる。
【００４７】
また、本実施の形態に係る照明装置１の製造方法は、埋込型の照明装置１の製造方法であって、組み立て対象となる複数の部品の品番を情報管理部９０に格納することと、各々の部品に関する部品情報を各々の当該部品に貼り付ける又は印刷することと、各々の部品を組み立てる際に、各々の部品の品番に対応する各々の部品情報を情報管理部９０に格納することとを含む。
【００４８】
この照明装置１の製造方法においても上述と同様の作用効果を奏する。
【００４９】
また、照明装置１の製造方法において、組み立て対象となる複数の部品の品番を情報管理部９０に格納することにより、誤組み付けを抑制することができる。
【００５０】
また、本実施の形態に係る照明装置１において、各々の部品には、部品情報をコード化した媒体５が貼り付けられる又は印刷される。
【００５１】
これによれば、コード化した媒体５を各々の部品に対して容易に付与することができる。
【００５２】
また、本実施の形態に係る照明装置１において、媒体５は、二次元バーコードである。
【００５３】
これによれば、コード化した部品情報を各々の部品に付与することができる。
【００５４】
また、本実施の形態に係る照明装置１において、情報管理部９０は、ＩＣタグである。また、複数の部品には、情報管理部９０を収容する金属筐体８３が含まれる。そして、金属筐体８３には、情報管理部９０と通信端末３とが無線通信するための電波を通過させる貫通孔８３ａが形成される。
【００５５】
これによれば、金属筐体８３に搭載された情報管理部９０と通信端末３とが確実に通信することができる。
【００５６】
また、本実施の形態に係る照明装置１において、貫通孔８３ａは、情報管理部９０と対向する位置に形成される。
【００５７】
これによれば、金属筐体８３に搭載された情報管理部９０と通信端末３とがより確実に通信することができる。
【００５８】
また、本実施の形態に係る照明装置１において、部品情報には、部品を製造した日時を示す情報、部品を製造した工場を示す情報、及び、ロット番号を示す情報が含まれる。
【００５９】
これによれば、情報管理部９０から部品情報を読み出せば、作業者は、照明装置１を構成する部品に関する情報を詳細に知ることができるため、照明装置１にリコール対象となる部品が搭載されているかどうかを特定することができる。このため、リコール対象となる部品が含まれていれば、作業者が、現場にてリコール対象となる部品だけを交換すればよく、照明装置１そのものを回収して調べる必要も無くなる。このため、作業者の対応負担を減らすことができる。
【００６０】
（その他変形例等）
以上、本開示について、実施の形態に基づいて説明したが、本開示は、上記照明装置及び照明装置の製造方法に限定されるものではない。
【００６１】
例えば、上記実施の形態に係る照明装置及び照明装置の製造方法において、部品情報をコード化した媒体は、ユーザが視認できる位置に付与されていてもよいが、好ましくは、見栄えの観点から、ユーザが視認し難い位置に付与されていることが好ましい。
【００６２】
また、上記実施の形態に係る照明装置に含まれる各処理部は、典型的に集積回路であるＬＳＩとして実現される。これらは個別に１チップ化されてもよいし、一部又は全てを含むように１チップ化されてもよい。
【００６３】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続又は設定を再構成可能なリコンフィギュラブル・プロセッサを利用してもよい。
【００６４】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【００６５】
また、上記で用いた数字は、全て本開示を具体的に説明するために例示するものであり、本開示の実施の形態は例示された数字に制限されない。
【００６６】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【００６７】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【００６８】
その他、実施の形態に対して当業者が思いつく各種変形を施して得られる形態、本開示の趣旨を逸脱しない範囲で実施の形態における構成要素及び機能を任意に組み合わせることで実現される形態も本開示に含まれる。
【符号の説明】
【００６９】
１  照明装置
５  媒体
１０  器具本体（部品）
２０  セード部（部品）
３０  枠体（部品）
４０  板バネ（部品）
５０  発光モジュール（部品）
６０  反射部材（部品）
７０  光学部材（部品）
８０  電源ボックス（部品）
８３  金属筐体（部品）
８３ａ  貫通孔
９０  情報管理部
【図１Ａ】
2020095791.tif 000003
【図１Ｂ】
2020095791.tif 000004
【図２】
2020095791.tif 000005
【図３】
2020095791.tif 000006
【図４】
2020095791.tif 000007